(57)【要約】【課題】  選局処理における内部メモリの使用量を削減する。【解決手段】  放送を受信するチューナーと、チューナーを制御するチューニング制御装置と、チューナーにより受信したチューニングデータを常時記憶しておく不揮発性メモリ１１と、チューニングデータを一時記憶しておく内部メモリ１０とを備え、チャンネルの選局処理で内部メモリ１０に記憶されたチューニングデータを使用可能とし、かつ、内部メモリ１０は、現在の選局チャンネルと、ユーザーにより入力されたチャンネルｕｐ／ｄｏｗｎキーに対応した現在の選局チャンネルの前後のチャンネルのチューニングデータを持つ。これにより、内部メモリ１０に記憶しておくチューニングデータ数を減らすことが可能となるためメモリ使用量を減少させることができる。【選択図】  図１
2006121407.tif 000002
【特許請求の範囲】
【請求項１】
放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、現在の選局チャンネルと、ユーザーにより入力されたチャンネルｕｐ／ｄｏｗｎキーに対応した現在の選局チャンネルの前後のチャンネルのチューニングデータを持つことを特徴とする放送受信装置。
【請求項２】
放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、ユーザーがチャンネルを選局した過去の履歴を記憶しておき、履歴にあるチャンネルのチューニングデータを持つことを特徴とする放送受信装置。
【請求項３】
放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、ユーザーが選局したチャンネル選局の回数をカウントすることで得られる、視聴回数の多いチャンネルのチューニングデータを持つことを特徴とする放送受信装置。
【発明の詳細な説明】
【技術分野】
【０００１】
この発明は、放送受信装置において、チャンネルの選局処理で使用するメモリ使用量を削減する方法についての放送受信装置に関するものである。
【背景技術】
【０００２】
一般に、選局システムとしては、チューニングデータを不揮発性メモリに記憶させておき、選局時にそのチューニングデータを呼び出し選局を行う方法が知られている。このような技術は、例えば特許文献１で開示されている。しかし、特許文献１に示される技術では、選局毎に不揮発性メモリと通信を行うため、通信時間が必要になる。この通信時間を無くすために、不揮発性メモリだけでなく内部メモリにもチューニングデータを持つ構成にしているものもある。この構成の場合、不揮発性メモリは停電やシステム異常によりシステムダウンしたときのための保存用として用い、内部メモリは不揮発性メモリよりアクセス速度が早いことから、選局処理における時間の短縮のために通常の処理用として用いる。
【０００３】
図８は、前述の不揮発性メモリと内部メモリに同一のチューニングデータを持つ選局システムのデータ構成を示すものである。図８において、８０はチャンネルに関係する情報が多い欧州での一般的な１チャンネル分のチューニングデータ、８１は内部メモリに記憶しているチューニングデータの構成、８２は不揮発性メモリに記憶しているチューニングデータの構成である。この構成では不揮発性メモリに記憶しているチューニングデータをそのまま内部メモリに展開するため、１チャンネル分のデータ、記憶チャンネル数が増加すると、内部メモリの使用量が大きくなる。
【特許文献１】特開平６−１６５０５５号公報（第４頁、第１図）
【発明の開示】
【発明が解決しようとする課題】
【０００４】
特許文献１に示されるように、不揮発性メモリだけにチューニングデータを持つ構成では、前述のように、選局毎に不揮発性メモリとの通信時間だけ選局処理時間が増加することになる。また前述の不揮発性メモリと内部メモリに同一のチューニングデータを持つ構成では、処理に使用する内部メモリの容量が大きくなるため、ＬＳＩチップ面積の増加、ＬＳＩチップの価格上昇につながり、セット価格の上昇を招くことになる。
【０００５】
したがって、この発明の目的は、選局処理にかかる時間の増加を最小限にし、ＬＳＩチップの価格上昇を抑えるために、選局処理における内部メモリの使用量を削減することができる放送受信装置を提供することである。
【課題を解決するための手段】
【０００６】
上記課題を解決するためにこの発明の請求項１記載の放送受信装置は、放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、現在の選局チャンネルと、ユーザーにより入力されたチャンネルｕｐ／ｄｏｗｎキーに対応した現在の選局チャンネルの前後のチャンネルのチューニングデータを持つ。
【０００７】
請求項２記載の放送受信装置は、放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、ユーザーがチャンネルを選局した過去の履歴を記憶しておき、履歴にあるチャンネルのチューニングデータを持つ。
【０００８】
請求項３記載の放送受信装置は、放送を受信するチューナーと、前記チューナーを制御するチューニング制御装置と、前記チューナーにより受信したチューニングデータを常時記憶しておく不揮発性メモリと、前記チューニングデータを一時記憶しておく内部メモリとを備え、チャンネルの選局処理で前記内部メモリに記憶されたチューニングデータを使用可能とし、かつ、前記内部メモリは、ユーザーが選局したチャンネル選局の回数をカウントすることで得られる、視聴回数の多いチャンネルのチューニングデータを持つ。
【発明の効果】
【０００９】
この発明の請求項１記載の放送受信装置によれば、チャンネルの選局処理で内部メモリに記憶されたチューニングデータを用いることで、不揮発性メモリとの通信時間による選局処理時間の増加を無くすことができる。また、内部メモリは、現在の選局チャンネルと、ユーザーにより入力されたチャンネルｕｐ／ｄｏｗｎキーに対応した現在の選局チャンネルの前後のチャンネルのチューニングデータを持つので、選局実行中に不揮発性メモリから次の前後チャンネルのチューニングデータを読み込み、内部メモリのチューニングデータと入れ替えることにより、内部メモリには３チャンネル分のチューニングデータしか持たないようにすることで内部メモリの削減を図ることができる。
【００１０】
この発明の請求項２記載の放送受信装置によれば、内部メモリは、ユーザーがチャンネルを選局した過去の履歴を記憶しておき、履歴にあるチャンネルのチューニングデータを持つので、視聴頻度の高いチャンネルが履歴に残ることを利用して、履歴にあるチャンネルのチューニングデータしか持たないようにすることで内部メモリの削減を図ることができる。また、ユーザーの選局履歴を用いることで、高い確率で内部メモリに記憶しているチューニングデータを使用して選局ができる。このため、不揮発性メモリとの通信時間による選局処理時間の増加を無くすことができる。
【００１１】
この発明の請求項３記載の放送受信装置によれば、内部メモリは、ユーザーが選局したチャンネル選局の回数をカウントすることで得られる、視聴回数の多いチャンネルのチューニングデータを持つので、視聴頻度の高いチャンネルを決定し、視聴頻度の高いチャンネルのチューニングデータしか持たないようにすることで内部メモリの削減を図ることができる。また、ユーザーのチャンネル選局回数を用いることで、高い確率で内部メモリに記憶しているチューニングデータを使用して選局ができる。このため、不揮発性メモリとの通信時間による選局処理時間の増加を無くすことができる。
【発明を実施するための最良の形態】
【００１２】
以下、本発明の第１の実施の形態を図１〜図３に基づいて説明する。図１（ａ）は本発明の第１の実施の形態における内部メモリの構成図、（ｂ）は不揮発性メモリの構成図、図２は第１の実施の形態の処理のフローチャートである。
【００１３】
この放送受信装置は、放送を受信するチューナーと、チューナーを制御するチューニング制御装置と、チューナーにより受信したチューニングデータを常時記憶しておく不揮発性メモリと、チューニングデータを一時記憶しておく内部メモリとを備えている。また、従来技術と同様に不揮発性メモリは停電やシステム異常によりシステムダウンしたときのための保存用として用い、内部メモリは不揮発性メモリよりアクセス速度が早いことから、選局処理における時間の短縮のために通常の処理用として用いる。
【００１４】
図１において、１０は内部メモリであり、内部メモリ１０に記憶しておくチャンネルｕｐ／ｄｏｗｎキー用のメモリ領域１０ａを有する。このメモリ領域１０ａは、現在チャンネル、ｄｏｗｎチャンネル、ｕｐチャンネルのチューニングデータを記憶している。１１は不揮発性メモリであり、不揮発性メモリ１１に記憶しておく全チャンネルのメモリ領域１１ａを有する。このメモリ領域１１ａは、１〜ｎチャンネルのチューニングデータを記憶している。この実施の形態１における選局動作は、チャンネルｕｐ／ｄｏｗｎキーによる前後チャンネルへの選局を想定している。
【００１５】
以下に、チャンネルｕｐ／ｄｏｗｎキーよる選局でのアルゴリズムについて説明する。図２に示すように、ユーザーからのキー入力があった場合、チャンネルｕｐ／ｄｏｗｎキーかの判定を行い（ステップＳ１０）、チャンネルｕｐ／ｄｏｗｎキーであれば、現在チャンネル選局時にあらかじめ読み込んでいる前後チャンネルのチューニングデータを記憶しているチャンネルｕｐ／ｄｏｗｎキー用メモリ１０のチューニングデータを使用し選局を開始する（ステップＳ１１）。選局を実行している間に、次回のチャンネルｕｐ／ｄｏｗｎキーの入力に対応するために現在選局を行っているチャンネルに対応した前後チャンネルのチューニングデータを不揮発性メモリ１１からチャンネルｕｐ／ｄｏｗｎキー用メモリ１０に読み出す（ステップＳ１２）。
【００１６】
この実施の形態１におけるメモリの入れ替え動作を図３を用いて説明する。図３に示すように、チャンネルｕｐ／ｄｏｗｎキー用メモリ３０では、現在チャンネルが３チャンネルとなっている。チャンネルｕｐキーの入力により、ｕｐチャンネル領域の４チャンネルのチューニングデータで選局を実行する。選局を実行している間に、チャンネルｕｐ／ｄｏｗｎキー用メモリ３１に示すようにｄｏｗｎチャンネル領域に３チャンネルのチューニングデータを移動、現在チャンネルの領域に４チャンネルのチューニングデータを移動、ｕｐチャンネルの領域に不揮発性メモリ１１から５チャンネルのチューニングデータを読み込む。なお、ｄｏｗｎチャンネルと、現在チャンネルのチューニングデータは、チャンネルｕｐ／ｄｏｗｎキー用メモリ３０での現在チャンネルと、ｕｐチャンネルのチューニングデータを移動しているが、ｄｏｗｎチャンネル、現在チャンネル、ｕｐチャンネルのすべてのチューニングデータを不揮発性メモリ１１から読み込むようにしても良い。
【００１７】
以上のように、この実施の形態１によれば、チャンネルｕｐ／ｄｏｗｎキーに対して３チャンネル分のチューニングデータしか持つ必要がなくなる。
【００１８】
次に、本発明の第２の実施の形態を図４〜図６に基づいて説明する。図４は本発明の第２の実施の形態のフローチャートである。
【００１９】
この放送受信装置は、実施の形態１と同様にチューナー、チューニング制御装置、不揮発性メモリおよび内部メモリを備えている。この実施の形態２における選局動作は、ユーザーからの直接チャンネル指定による選局を想定している。内部メモリのメモリ領域は、ユーザーがチャンネルを選局した過去の履歴を記憶しておき、履歴にあるチャンネルのチューニングデータを記憶している。
【００２０】
以下に、この実施の形態２の直接チャンネル指定による選局でのアルゴリズムについて説明する。図４に示すように、選局チャンネルが確定する（ステップＳ２０）と内部メモリに記憶している履歴との比較を行う（ステップＳ２１、ステップＳ２２）。履歴と一致がある場合、一致履歴を最新とするために内部メモリ内のチューニングデータの入れ替えを行う（ステップＳ２３）。その後、最新履歴を使用して選局を実施（ステップＳ２４）し、終了する。また、内部メモリに記憶している履歴との比較において、全履歴と比較終了（ステップＳ２１）し、履歴との一致がない場合、不揮発性メモリ２３から選局チャンネルのチューニングデータを読み込む（ステップＳ２５）。読み込んだチューニングデータを最新履歴として記憶する（ステップ２６）。その後、最新履歴を使用して選局を実施（ステップＳ２７）し、終了する。
【００２１】
この実施の形態２におけるメモリ入れ替え動作を図５と図６を用いて説明する。図５に示すように、直接選局チャンネルが５チャンネルとした場合、内部メモリに記憶している履歴と比較を実施する。履歴の中に一致するチャンネルがあった場合、履歴メモリ５０の状態から一致した５チャンネルのチューニングデータを履歴１に移動するために、５チャンネルが格納されていたメモリまでの全チューニングデータを移動していき履歴メモリ５１の状態にする。最新履歴である履歴１に５チャンネルのチューニングデータが移動されているので、最新履歴である５チャンネルのチューニングデータを使用して選局を行い終了する。
【００２２】
次に、図６に示すように、履歴メモリに一致チャンネルがない場合については、不揮発性メモリ１１から選局チャンネルである５チャンネルのチューニングデータを読み出し、履歴メモリ６０の状態から読み出した５チャンネルのチューニングデータを履歴１に格納するために、履歴の全チューニングデータをずらしていき履歴メモリ６１の状態に移動する。履歴メモリの最過去メモリである履歴ｎに記憶されていた２チャンネルのチューニングデータは削除する。
【００２３】
以上のように、この実施の形態２によれば、直接指定されたチャンネルに対して、ユーザーの選局履歴を用いることで、高い確率で内部に記憶しているチューニングデータを使用して選局ができる。
【００２４】
次に、本発明の第３の実施の形態を図７に基づいて説明する。図７は本発明の第３の実施の形態のフローチャートである。
【００２５】
この放送受信装置は、実施の形態１と同様にチューナー、チューニング制御装置、不揮発性メモリおよび内部メモリを備えている。この実施の形態３における選局動作は、ユーザーからの直接チャンネル指定による選局を想定している。内部メモリのメモリ領域は、ユーザーが選局したチャンネル選局の回数をカウントすることで得られる、視聴回数の多いチャンネルのチューニングデータを記憶している。
【００２６】
以下に、この実施の形態３の直接チャンネル指定による選局でのアルゴリズムについて説明する。図７に示すように、直接チャンネル入力によりチャンネルが確定する（ステップＳ３００）と、そのチャンネルに対応した視聴カウンタをカウントｕｐする（ステップＳ３０１）。内部メモリに記憶しているチャンネルとの比較を行う（ステップＳ３０２、ステップＳ３０３）。内部メモリに一致チャンネルが存在する場合、そのチューニングデータを使用して選局を実行し（ステップＳ３０８）、カウンタ最大値比較（ステップＳ３０９）を実行する。
【００２７】
次に、内部メモリに記憶しているチャンネルに一致チャンネルが存在しない場合（ステップＳ３０３）、確定チャンネルのチューニングデータを不揮発性メモリから読み込む（ステップＳ３０４）。読み込んだチューニングデータを使用して、選局を実行する（ステップＳ３０５）。確定チャンネルの視聴カウンタと、内部メモリに記憶しているチャンネルの視聴カウンタの最小値のチャンネルを比較し（ステップＳ３０６）、確定チャンネルの視聴カウンタの方が大きければ、比較した内部メモリに記憶しているチャンネルのチューニングデータと確定チャンネルのチューニングデータを入れ替える（ステップＳ３０７）。次に、確定チャンネルの視聴カウンタがカウンタの取り得る最大値に達した場合（ステップＳ３０９）、全チャンネルの視聴カウンタを半分にすることで以降のカウントｕｐに対応する（ステップＳ３１０）。
【００２８】
以上のように、この実施の形態３によれば、直接指定されたチャンネルに対して、ユーザーのチャンネル選局回数を用いることで、高確率で内部に記憶しているチューニングデータを使用して選局ができる。
【００２９】
上記実施の形態１〜３によれば、全てのチャンネルのチューニングデータは不揮発性メモリに記憶しておき、ユーザーによるキー入力操作または、過去の選局履歴、チャンネルの選局回数から、内部メモリに記憶しておくチューニングデータの絞り込みを行い、必要時に不揮発性メモリのチューニングデータとの入れ替えを行うことで、内部メモリに記憶しておくチューニングデータ数を減らすことが可能となるためメモリ使用量を減少させることができる。
【００３０】
具体的には、内部メモリの使用量は従来の１チャンネル分のチューニングデータ量ｍとチャンネル総数ｎを掛け合わせたｍ×ｎｂｙｔｅから、１チャンネル分のチューニングデータ量ｍと発明手法により限定されたチャンネル数ｄを掛け合わせたｍ×ｄｂｙｔｅへ内部メモリの使用量を減らすことができる。例えば、１チャンネル分のチューニングデータ量ｍ＝１０、チャンネル総数ｎ＝９９、限定チャンネル数ｄ＝１５とすると、９９０ｂｙｔｅから１５０ｂｙｔｅへ内部メモリの使用量を減らすことができる。
【産業上の利用可能性】
【００３１】
本発明にかかる放送受信装置は、内部メモリの容量を削減できることから、使用チップのコスト削減が可能となるので、特に民生向けＡＶ機器分野の商品としての利用が最も期待できる。
【図面の簡単な説明】
【００３２】
【図１】本発明の第１の実施の形態におけるメモリ構成図である。
【図２】本発明の第１の実施の形態における処理フローチャートである。
【図３】本発明の第１の実施の形態におけるチャンネルｕｐ／ｄｏｗｎキーでのメモリ入れ替えのモデル図である。
【図４】本発明の第２の実施の形態における処理フローチャートである。
【図５】本発明の第２の実施の形態における履歴一致有りのメモリ入れ替えのモデル図である。
【図６】本発明の第２の実施の形態における履歴一致無しのメモリ入れ替えのモデル図である。
【図７】本発明の第３の実施の形態における処理フローチャートである。
【図８】従来のチューニングデータ構成図である。
【符号の説明】
【００３３】
１０  ｕｐ／ｄｏｗｎ用メモリ
１１  全チャンネル記憶用の不揮発性メモリ
３０  ｕｐ／ｄｏｗｎ用メモリ（入れ替え前）
３１  ｕｐ／ｄｏｗｎ用メモリ（入れ替え後）
５０，６０  履歴用メモリ
５１  一致履歴があった場合の履歴用メモリ
６１  一致履歴が無かった場合の履歴用メモリ
【図１】
2006121407.tif 000003
【図２】
2006121407.tif 000004
【図３】
2006121407.tif 000005
【図４】
2006121407.tif 000006
【図５】
2006121407.tif 000007
【図６】
2006121407.tif 000008
【図７】
2006121407.tif 000009
【図８】
2006121407.tif 000010